(57)【要約】【課題】  マンホール蓋にＩＣタグを設け、ＩＣタグ内にインフラ整備情報及び位置座標情報を格納することにより、インフラ整備情報及び位置座標情報をマンホール及びマンホール周辺のインフラ整備に利用できると共に、地震等の災害時に於けるマンホールの位置変化を検出することができるようにしたＩＣタグ付きマンホール蓋を提供する。【解決手段】  マンホール蓋本体２の表面部にＩＣタグ４を設けたＩＣタグ付きマンホール蓋１であって、ＩＣタグ４は共振回路により送受信を行なう送受信手段及びメモリを備え、メモリ内に少なくとも、マンホールの識別情報と、マンホールの位置座標情報と、マンホールのインフラ整備情報とを格納し、ＩＣタグ読取・書込装置に対し、情報を送信自在に構成されているＩＣタグ付きマンホール蓋を提供する。【選択図】  図１
2007013507.tif 000002
【特許請求の範囲】
【請求項１】
マンホール蓋本体の表面部にＩＣタグを設けたＩＣタグ付きマンホール蓋であって、該ＩＣタグは共振回路により送受信を行なう送受信手段及びメモリを備え、該メモリ内に少なくとも、該マンホールの識別情報と、該マンホールの位置座標情報と、該マンホールのインフラ整備情報とを格納し、ＩＣタグ読取・書込装置に対し、該情報を送信自在に構成されていることを特徴とするＩＣタグ付きマンホール蓋。
【請求項２】
上記ＩＣタグは上記マンホール蓋の上部に穿設された穴内に収納されることを特徴とする請求項１記載のＩＣタグ付きマンホール蓋。
【請求項３】
請求項１又は２記載のＩＣタグ付きマンホール蓋のＩＣタグと、該ＩＣタグの情報を読み取り、又は、該ＩＣタグに情報を書き込む携帯端末であるＩＣタグ読取・書込装置と、該ＩＣタグ読取・書込装置が通信手段を介して通信自在に接続されるサーバとから成る通信情報システムであって、
前記ＩＣタグ読取・書込装置は、人工衛星から発信される電波を受信して位置座標情報を取得するためのＧＰＳ手段と、地図情報上に位置情報及びその他の情報を表示させるためのＧＩＳ手段と、情報を表示する表示手段と、情報を入力するための入力手段と、前記ＩＣタグに情報を送信し、書き込むためのＩＣタグ書込手段と、前記ＩＣタグから送信される情報を受信し、読み込むためのＩＣタグ読取手段と、前記ＧＩＳ手段に係るＧＩＳ情報、該入力手段により入力された入力情報及び前記ＩＣタグ又は前記サーバから受信した受信情報を記憶する記憶手段と、該記憶手段から情報を抽出する抽出手段と、情報を前記サーバに送信するための送信手段と、該サーバから情報を受信する受信手段とを備え、
前記サーバは、情報を送受信する送受信手段と、インフラ整備情報を記憶する記憶手段と、該記憶手段に記憶された情報を抽出する抽出手段と、情報を処理するための情報処理手段とを備えていることを特徴とする情報通信システム。
【発明の詳細な説明】
【技術分野】
【０００１】
本発明は、マンホール蓋本体の表面部にＩＣタグを設けたＩＣタグ付きマンホール蓋であって、ＩＣタグのメモリ内にマンホールの識別情報と、位置座標情報と、インフラ整備情報とを格納したＩＣタグ付きマンホール蓋及び該ＩＣタグを利用した情報通信システムに関する。
【背景技術】
【０００２】
ＩＣタグは、微小な無線チップにより人や物を識別するものであり、例えば、流通業界に於いては、バーコードに代わる商品識別・管理技術として研究が進められてきたが、それに留まらず社会のＩＴ化、自動化を推進する上での基盤技術として注目が高まっている。
【０００３】
そして、近年ＩＣタグはその利用範囲も拡大してきており、更に、その利用の拡大が予想されている。
【０００４】
例えば、特許文献１には、商品の識別情報をネットワークを介して取り扱う商品識別システムに於いて、ＩＣタグを利用することが記載されている。
【０００５】
又、特許文献２には、マンホール鉄蓋に開けた貫通穴の内部に電磁誘導型のワイヤレスＩＣタグを設置することが記載されている。
【特許文献１】特開２００４−２４６８８７号公報
【特許文献１】特開平０９−３３１２７９号公報
【発明の開示】
【発明が解決しようとする課題】
【０００６】
前述したように、特許文献１の如く、商品識別システム等に於いて、ＩＣタグを利用することは広く知られており、又、特許文献２の如く、マンホール鉄蓋にワイヤレスＩＣタグを設置することも知られている。
【０００７】
然しながら、特許文献２に於いては、マンホール鉄蓋の金属の影響によってワイヤレスＩＣタグの磁界が減衰したり、アンテナコイルの特性が変化してチューニングが取れなくなることを解決するための構成が記載されており、ワイヤレスＩＣタグを有効に利用するための構成は記載されていない。
【０００８】
マンホールは道路等に多数設置されるものであり、例えば、これにＩＣタグを設置してマンホールに関する情報、例えば、マンホール内のインフラ整備情報をＩＣタグに格納すれば、その情報は、マンホールに関してのみならず、マンホール周辺のインフラ整備作業に極めて有効な情報となる。
【０００９】
特に、ＩＣタグ内にマンホールに関する位置情報を格納すれば、この位置情報を読み取ることにより、マンホールの位置確認ができると共に、この位置情報を利用してマンホール周辺のインフラ整備等に多大な貢献をすることができる。
【００１０】
又、ＩＣタグ内にマンホールに関する位置情報を格納することにより、地震等の発生時に、既に格納されている位置情報と、マンホールの現在位置情報とを比較して、地震等の災害時に於ける位置変化を検出することも可能である。
【００１１】
以上の現状に鑑み、本発明は、マンホール蓋にＩＣタグを設け、ＩＣタグ内にインフラ整備情報及び位置座標情報を格納することにより、インフラ整備情報及び位置座標情報をマンホール及びマンホール周辺のインフラ整備に利用できると共に、地震等の災害時に於けるマンホールの位置変化を検出することができるＩＣタグ付きマンホール蓋を提供することを目的とし、更に、それらの情報を遠隔地のサーバで管理できるようにすると共に、遠隔地のサーバ情報をＩＣタグ内に取り込むことができるようにしたＩＣタグを利用した情報通信システムを提供することを目的とする。
【課題を解決するための手段】
【００１２】
上記の課題を解決すべく、本発明は以下の構成を提供する。
請求項１に係る発明は、マンホール蓋本体の表面部にＩＣタグを設けたＩＣタグ付きマンホール蓋であって、該ＩＣタグは共振回路により送受信を行なう送受信手段及びメモリを備え、該メモリ内に少なくとも、該マンホールの識別情報と、該マンホールの位置座標情報と、該マンホールのインフラ整備情報とを格納し、ＩＣタグ読取・書込装置に対し、該情報を送信自在に構成されていることを特徴とするＩＣタグ付きマンホール蓋を提供するものである。
【００１３】
請求項２に係る発明は、上記ＩＣタグは上記マンホール蓋の上部に穿設された穴内に収納されることを特徴とする請求項１記載のＩＣタグ付きマンホール蓋を提供するものである。
【００１４】
請求項３に係る発明は、請求項１又は２記載のＩＣタグ付きマンホール蓋のＩＣタグと、該ＩＣタグの情報を読み取り、又は、該ＩＣタグに情報を書き込む携帯端末であるＩＣタグ読取・書込装置と、該ＩＣタグ読取・書込装置が通信手段を介して通信自在に接続されるサーバとから成る通信情報システムであって、前記ＩＣタグ読取・書込装置は、人工衛星から発信される電波を受信して位置座標情報を取得するためのＧＰＳ手段と、地図情報上に位置情報及びその他の情報を表示させるためのＧＩＳ手段と、情報を表示する表示手段と、情報を入力するための入力手段と、前記ＩＣタグに情報を送信し、書き込むためのＩＣタグ書込手段と、前記ＩＣタグから送信される情報を受信し、読み込むためのＩＣタグ読取手段と、前記ＧＩＳ手段に係るＧＩＳ情報、該入力手段により入力された入力情報及び前記ＩＣタグ又は前記サーバから受信した受信情報を記憶する記憶手段と、該記憶手段から情報を抽出する抽出手段と、情報を前記サーバに送信するための送信手段と、該サーバから情報を受信する受信手段とを備え、
前記サーバは、情報を送受信する送受信手段と、インフラ整備情報を記憶する記憶手段と、該記憶手段に記憶された情報を抽出する抽出手段と、情報を処理するための情報処理手段とを備えていることを特徴とする情報通信システムを提供するものである。
【発明の効果】
【００１５】
本発明の請求項１記載の発明によれば、マンホール蓋本体の表面部にＩＣタグを設けたＩＣタグ付きマンホール蓋であって、該ＩＣタグは共振回路により送受信を行なう送受信手段及びメモリを備え、該メモリ内に少なくとも、該マンホールの識別情報と、該マンホールの位置座標情報と、該マンホールのインフラ整備情報とを格納し、ＩＣタグ読取・書込装置に対し、該情報を送信自在に構成されているＩＣタグ付きマンホール蓋を提供するので、ＩＣタグ内のインフラ整備情報及び位置座標情報をマンホール及びマンホール周辺のインフラ整備に利用できると共に、地震等の災害時に於けるマンホールの位置変化を検出することができる。
【００１６】
請求項２記載の発明によれば、上記ＩＣタグは上記マンホール蓋の上部に穿設された穴内に収納されるので、請求項１記載の発明の効果に加え、既製のＩＣタグを用いることができると共に、ＩＣタグの設置及び取替えも容易である。
【００１７】
請求項３記載の発明によれば、請求項１又は２記載のＩＣタグ付きマンホール蓋のＩＣタグと、該ＩＣタグの情報を読み取り、又は、該ＩＣタグに情報を書き込む携帯端末であるＩＣタグ読取・書込装置と、該ＩＣタグ読取・書込装置が通信手段を介して通信自在に接続されるサーバとから成る通信情報システムであって、前記ＩＣタグ読取・書込装置は、人工衛星から発信される電波を受信して位置座標情報を取得するためのＧＰＳ手段と、地図情報上に位置情報及びその他の情報を表示させるためのＧＩＳ手段と、情報を表示する表示手段と、情報を入力するための入力手段と、前記ＩＣタグに情報を送信し、書き込むためのＩＣタグ書込手段と、前記ＩＣタグから送信される情報を受信し、読み込むためのＩＣタグ読取手段と、前記ＧＩＳ手段に係るＧＩＳ情報、該入力手段により入力された入力情報及び前記ＩＣタグ又は前記サーバから受信した受信情報を記憶する記憶手段と、該記憶手段から情報を抽出する抽出手段と、情報を前記サーバに送信するための送信手段と、該サーバから情報を受信する受信手段とを備え、
前記サーバは、情報を送受信する送受信手段と、インフラ整備情報を記憶する記憶手段と、該記憶手段に記憶された情報を抽出する抽出手段と、情報を処理するための情報処理手段とを備えている情報通信システムを提供するので、ＩＣタグ及びＩＣタグ読取・書込装置の情報を遠隔地のサーバに送信して、サーバによって管理できると共に、遠隔地のサーバの情報をＩＣタグ及びＩＣタグ読取・書込装置に取り込んで利用することができる。
【発明を実施するための最良の形態】
【００１８】
以下、実施例を示した図面を参照しつつ本発明の実施の形態を説明する。
図１に於いて、１は本発明のＩＣタグ付きマンホール蓋であり、ＩＣタグ付きマンホール蓋１は、鉄製又は樹脂製等のマンホール蓋本体２の中央上部に穴３を穿設し、穴３内にＩＣタグ４を接着材５等で固着して収納し、更に、ＩＣタグ４と穴３の隙間に樹脂等の充填材６を充填して穴３を塞いだものである。尚、ＩＣタグ４は、充填材６内に埋設されても良く、充填材６から露出しても良い。
【００１９】
前記ＩＣタグ付きマンホール蓋１は、同図（ｂ）に示す如く、マンホール７の上端を被蔽する如く、マンホール７の上端に載置される。
【００２０】
そして、前記ＩＣタグ４は、図２に示す如く、共振回路（図示せず）によって送受信を行なう送受信手段８、制御部９及びメモリ１０を備え、メモリ１０内に少なくとも、マンホール７及びＩＣタグ４の識別情報１１と、マンホール７の位置座標情報１２と、マンホール７内の上下水道、ガス、電気等のインフラ整備に係るインフラ整備情報１３等の情報ファイル１４が格納される。
【００２１】
尚、前記マンホール７の識別情報１１と、マンホール７の位置座標情報１２と、インフラ整備情報１３とは、ＩＣタグ付きマンホール蓋１のマンホール７への施工前に、後述するＩＣタグ読取・書込装置又はパソコン等によって予め書き込まれても良く、或いは、ＩＣタグ付きマンホール蓋１の施工後にＩＣタグ読取・書込装置によって書き込まれても良い。
【００２２】
尚、共振回路（図示せず）によって送受信を行なう技術は公知技術であるので、詳細な説明は省略する。
【００２３】
図３に於いて、２１は、本発明の情報通信システムであり、情報通信システム２１は、前記ＩＣタグ付きマンホール蓋１のＩＣタグ４と、ＩＣタグ４の情報を読み取り、又は、該ＩＣタグ４に情報を書き込む携帯端末であるＩＣタグ読取・書込装置２２と、ＩＣタグ読取・書込装置２２が携帯電話通信２３を経由するインターネット２４を介して、或いは、衛星通信２５等の通信手段を介して通信自在に接続されるサーバ２６とを備えている。
【００２４】
尚、前記ＩＣタグ読取・書込装置２２と、サーバ２６との通信は、主として、メールにより行なわれ、或いは、サーバ２６が提供するウェブページを介して行なわれる。又、図に於いて、２７は人工衛星であり、２８は衛星通信２５の受信装置であり、２９は携帯電話等の通信基地を示している。
【００２５】
又、説明の都合上、前記ＩＣタグ４と、ＩＣタグ読取・書込装置２２と、サーバ２６とは、図に於いて夫々１台で示したが、実際には、夫々、１、又は、複数台存在するものである。
【００２６】
そして、前記ＩＣタグ読取・書込装置２２は、人工衛星２７，２７から発信される電波を受信して位置座標情報を取得するための図４に示すＧＰＳ手段３１と、地図情報上に位置情報及びその他の情報を表示させるためのＧＩＳ手段３２と、情報を表示する液晶ディスプレイ等の表示手段３３と、情報を入力するためのキー等の入力手段３４と、前記ＩＣタグ４に情報を送信し、書き込むためのＩＣタグ書込手段３５と、前記ＩＣタグ４から送信される情報を受信し、読み込むためのＩＣタグ読取手段３６とを備え、更に、ＩＣタグ読取・書込装置２２の識別記号１１、前記ＧＩＳ手段３２に用いられる地図情報等のＧＩＳ情報３７、種々の入力情報及び受信情報３８を記憶する記憶手段３９と、記憶手段３９から情報を抽出する抽出手段４０と、前記サーバ２６に情報を送信するための送信手段４１と、サーバ２６から情報を受信する受信手段４２と、写真撮影が可能な写真撮影手段（カメラ）４３と，携帯電話として音声通信ができる携帯電話手段４４とを備え、更に又、それらを適宜制御する制御部４５とを備えている。
【００２７】
一方、前記サーバ２６は、情報を送受信する送受信手段５１と、インフラ整備情報５２を記憶する記憶手段５３と、記憶手段５３に記憶された情報を抽出する抽出手段５４と、情報を処理するための情報処理手段５５とを備え、更に、それらを適宜制御する制御部５６を備えている。
【００２８】
而して、前記情報通信システム２１について、その作用を説明すると、先ず、図示しないパソコン、又は、前記ＩＣタグ読取・書込装置２２によってＩＣタグ４内のメモリ１０内に、ＩＣタグ４、及び／又は、マンホール７の識別情報１１と、マンホール７の位置座標情報１２と、マンホール７内の上下水道、ガス、電気等のインフラ整備に係るインフラ整備情報１３が格納される。
【００２９】
そして、ＩＣタグ４は、マンホール蓋本体２の穴３内に接着材５で接着され、穴３内の隙間を充填材６で充填されて収納され、これによってＩＣタグ付きマンホール蓋１が形成され、ＩＣタグ付きマンホール蓋１は、該当のマンホール７に設置される。
【００３０】
尚、前記情報１１，１２，１３の何れか、又は、全部は、マンホール蓋本体２の施工後にＩＣタグ読取・書込装置２２によって書き込まれても良い。
【００３１】
前記ＩＣタグ読取・書込装置２２によって、ＩＣタグ付きマンホール蓋１内に収納されたＩＣタグ４内の識別情報１１、マンホール７の位置座標情報１２、マンホール７に関するインフラ整備情報１３を読み取ることができる。
【００３２】
そして、これらの情報を利用して、特に、マンホール７内のインフラ整備作業に役立てることができる。
【００３３】
又、マンホール７内のインフラ整備作業に限らず、マンホール７周辺のインフラ整備作業においても、ＩＣタグ４内の識別情報１１、位置座標情報１２、インフラ整備情報１３を利用することができる。
【００３４】
例えば、マンホール７の近傍に新しくインフラ整備作業を行なう場合に、このマンホール７を含む周辺の３個のマンホール７，７…のＩＣタグ４，４…内の位置座標情報１２，１２…を読み取り、この３つの位置座標情報１２，１２…を用いて新しくインフラ整備作業を行なう場所の位置座標情報１２を求めることが可能となる。
【００３５】
前記ＩＣタグ読取・書込装置２２は、ＧＰＳ手段３１によって、人工衛星２７，２７…が発信する電波を受信して、該ＩＣタグ読取・書込装置２２の現在位置を示す位置座標情報１２を取得することができ、この現在位置座標情報１２に基づき、前記ＧＩＳ手段３２によって、表示手段３３に表示される地図上に該ＩＣタグ読取・書込装置２２の現在位置を表示できる。
【００３６】
又、ＩＣタグ４上で、前記ＩＣタグ読取・書込装置２２によって位置座標情報１２を取得すると、このＩＣタグ４の位置座標情報１２、即ち、マンホール７の位置座標情報１２を取得できる。そして、その位置座標情報１２をＩＣタグ４に送信すれば、ＩＣタグ４の位置座標情報１２をＩＣタグ４のメモリ１０内に格納することができる。
【００３７】
ＩＣタグ４は、前記ＩＣタグ読取・書込装置２２から発信された電波を送受信手段８である図示しない共振回路の共振によって受信し、受信した電波内の情報を制御部９を介してメモリ１０内に格納する。
【００３８】
又、ＩＣタグ４内に予め位置座標情報１２が格納されている場合に、前記ＩＣタグ読取・書込装置２２のＩＣタグ読取手段３６によって、ＩＣタグ４内の位置座標情報１２を読み取ると共に、前記ＩＣタグ読取・書込装置２２を前記ＩＣタグ４上に位置させ、前記ＩＣタグ読取・書込装置２２のＧＰＳ手段３１によって、人工衛星２７，２７…からＩＣタグ４の位置座標情報１２を取得し、前述した読み取り、又は、取得した両方の位置座標情報１２，１２を比較すると、その位置座標情報１２，１２が一致した場合、ＩＣタグ４内に位置座標情報１２が格納された時点から、現在までにＩＣタグ４の位置、即ち、マンホール７位置のずれがなかったことを示し、位置座標情報１２，１２が不一致の場合、ＩＣタグ４の位置、即ち、マンホール７位置がずれたことを示すことになる。
【００３９】
そして、両方の位置座標情報１２，１２の数値差がＩＣタグ４の変位、即ち、マンホール７の変位を示しており、計算によって、その移動距離を求めることができる。
【００４０】
これによって、ＩＣタグ４の変位、即ち、マンホール７の位置変化を知ることができる。これは、地震等の災害時に於ける被災情報として利用することができる。
【００４１】
又、マンホール７内に於いて、工事があった場合、或いは、インフラ整備に関する変更があった場合、前記ＩＣタグ読取・書込装置２２は入力手段３４によって情報を入力することができ、その情報は記憶手段３９に入力情報及び受信情報３８として記憶された後、抽出手段４０によって適宜抽出され、抽出された情報及び／又は前述した入力された情報はＩＣタグ書込手段３５によって、ＩＣタグ４内のメモリ１０にインフラ整備情報１３の新規、又は、更新情報として書き込まれる。
【００４２】
更に、前記ＩＣタグ読取・書込装置２２は写真撮影手段４３によって写真映像を撮影することができ、その映像情報を記憶手段３９内に入力情報及び受信情報３８として入力することができる。
【００４３】
前記ＩＣタグ読取・書込装置２２の入力手段３４、又は、写真撮影手段４３によって記憶手段３９内に入力された情報、又は、前記ＩＣタグ４から読み取った情報は、ＩＣタグ読取・書込装置２２の送信手段４１によって通信基地２９、インターネット２４等を経由する携帯電話通信２３を介して、或いは、人工衛星２７、受信装置２８等を経由する衛星通信２５を介してサーバ２６に送信され、情報処理手段５５によって、適宜情報処理された後、記憶手段５３内のインフラ整備情報５２として記憶される。或いは、既に、記憶されているインフラ整備情報５２が更新される。
【００４４】
サーバ２６は、記憶手段５３内に記憶した情報を情報処理手段５５及び制御部５６を介して適宜情報処理し、情報管理することができ、情報処理された情報は記憶手段５３内に記憶される。情報管理方法としては、例えば、データベース化、集計、統計、グラフ化、図面表示化等が考えられる。
【００４５】
又、ＩＣタグ読取・書込装置２２のアクセスにより、或いは、ＩＣタグ読取・書込装置２２のアクセスによることなく、前記サーバ２６内のインフラ整備情報５２の該当情報が送信され、インターネット２４、又は、衛星通信２５を介してＩＣタグ読取・書込装置２２に受信され、ＩＣタグ読取・書込装置２２は、その情報を取得して利用することができると共に、その情報をＩＣタグ４に書き込むことも可能である。
【００４６】
斯くして、本発明のＩＣタグ付きマンホール蓋１は、ＩＣタグ４のメモリ１０内に少なくとも、マンホール７の識別情報１１と、位置座標情報１２と、インフラ整備情報１３とを格納し、ＩＣタグ読取・書込装置２２に対し、情報を送信自在に構成されているので、ＩＣタグ４内のインフラ整備情報１３及び位置座標情報１２をマンホール７及びマンホール７周辺のインフラ整備に利用できると共に、地震等の災害時に於けるマンホール７の位置変化を検出することができる。又、インフラ整備作業を行なった場合に於いて、インフラ整備情報１３をＩＣタグ４に記録して、次のインフラ整備作業に利用することもできる。
【００４７】
更に、ＩＣタグ４はマンホール蓋本体２の上部に穿設された穴３内に収納されるので、既製のＩＣタグ４を用いることができると共に、ＩＣタグ４の設置及び取替えも容易である。
【００４８】
そして、本発明の情報通信システム２１は、ＩＣタグ４及びＩＣタグ読取・書込装置２２の情報を遠隔地のサーバ２６に送信して、サーバ２６によって管理できると共に、遠隔地のサーバ２６の情報をＩＣタグ４及びＩＣタグ読取・書込装置２２に取り込んで利用することができる。
【００４９】
又、前記情報通信システム２１に於いて、前記ＩＣタグ読取・書込装置２２は、ＧＰＳ手段３１を備え、人工衛星２７，２７から発信される電波を受信して位置座標情報１２を取得することができ、その位置座標情報１２をＩＣタグ４に書き込むことができ、更に、ＧＩＳ手段３２によって、表示手段３３であるディスプレイ等に於いて、地図情報上に位置情報及びその他の情報を表示させることができる。又、写真撮影手段（カメラ）４３によって、映像情報を取り込むことも可能である。
【００５０】
更に、前記サーバ２６は、記憶手段５３内に記憶した情報を情報処理手段５５及び制御部５６を介して適宜情報処理し、情報管理することができる。
【図面の簡単な説明】
【００５１】
【図１】（ａ）本発明によるＩＣタグ付きマンホール蓋の平面図。（ｂ）本発明によるＩＣタグ付きマンホール蓋を施工した状態を示す正面断面図。（ｃ）本発明によるＩＣタグをマンホール蓋に収納した状態を示す拡大正面断面図。
【図２】前図１に示すＩＣタグの構成を概略的に示す説明図である。
【図３】本発明によるＩＣタグを利用した情報通信システムの説明図である。
【図４】図３に示すＩＣタグを利用した情報通信システムの詳細説明図である。
【符号の説明】
【００５２】
１  ＩＣタグ付きマンホール蓋
２  マンホール蓋本体
３  穴
４  ＩＣタグ
７  マンホール
８  送受信手段
１０  メモリ
１１  識別情報
１２  位置座標情報
１３  インフラ整備情報
２１  情報通信システム
２２  ＩＣタグ読取・書込装置
２６  サーバ
２７  人工衛星
３１  ＧＰＳ手段
３２  ＧＩＳ手段
３３  表示手段
３４  入力手段
３５  ＩＣタグ書込手段
３６  ＩＣタグ読取手段
３７  ＧＩＳ情報
３９，５３  記憶手段
４０，５４  抽出手段
４１  送信手段
４２  受信手段
５１  送受信手段
５２  インフラ整備情報
５５  情報処理手段
【図１】
2007013507.tif 000003
【図２】
2007013507.tif 000004
【図３】
2007013507.tif 000005
【図４】
2007013507.tif 000006